(57)【要約】【課題】広範な範囲のスペクトルを放出できる雰囲気装置を容易に制御すること。【解決手段】本発明は、雰囲気装置（１）の照明ユニット（２ａ）および／またはフレグランスユニット（２ｂ）の設定を制御し、部屋内の雰囲気条件を決定するためのユーザーインターフェース（３）を備えた雰囲気装置（１）に関する。このユーザーインターフェース（３）は、検出デバイス（４）およびトランスポンダ（６）を備えたシステムに基づく。トランスポンダ（６）を検出デバイス（４）による検出レンジ内に移動することにより、トランスポンダ（６）はリターン信号を送る。この信号は雰囲気装置（１）の設定を制御する。各トランスポンダ（６）は、特定のカラーおよび特定の光強度および／または特定の匂いスペクトルおよび強度を制御するようにプログラムされている。【選択図】図１
2008543011.tif 000002
【特許請求の範囲】
【請求項１】
照明ユニット（２ａ）と、フレグランスユニット（２ｂ）と、前記照明ユニット（２ａ）の照明カラーおよび／または強度の設定、および前記フレグランスユニット（２ｂ）の匂いスペクトルおよび／または強度の設定の双方を制御するためのインターフェース（３）とを備え、前記ユーザーインターフェースは複数のトランスポンダ（６）および前記トランスポンダ（６）を検出するための検出デバイス（４）とを有し、各トランスポンダ（６）は、特定の設定を制御すると共に、前記トランスポンダ（６）が前記検出デバイス（４）によって検出されない状態に対応する第１位置、および前記トランスポンダ（６）が前記検出デバイス（４）によって検出され、トランスポンダがリータン信号を送る状態に対応する第２位置をとるようになっており、前記リータン信号は、前記照明ユニット（２ａ）の照明カラーおよび／または強度、および前記フレグランスユニット（２ｂ）の匂いスペクトルおよび／または強度を制御するようになっている雰囲気装置（１）。
【請求項２】
制御すべき前記特定の照明カラーは、原色である赤色、緑色および青色を含むことを特徴とする請求項１記載の雰囲気装置（１）。
【請求項３】
制御すべき前記特定の匂いは、花、植物、香水、石鹸、焼きたてのパン、海（水）、焼けたゴムまたは火薬の（天然の）匂いから選択された少なくとも１つの匂いを含むことを特徴とする請求項１記載の雰囲気装置。
【請求項４】
照明ユニット（２ａ）は、少なくとも１つのＬＥＤ（７ａ）を含むことを特徴とする、請求項１乃至３の何れか１項に記載の雰囲気装置（１）。
【請求項５】
前記フレグランスユニット（２ｂ）は、匂い液、匂いガスおよび匂い固体の群から選択された少なくとも１つの匂いソース（７ｂ）を含むことを特徴とする、請求項１乃至４の何れか１項に記載の雰囲気装置（１）。
【請求項６】
雰囲気設定のうちの前記強度は、前記設定を制御し、第２位置をとるようになっているトランスポンダ（６）の数に比例することを特徴とする請求項１記載の雰囲気装置（１）。
【請求項７】
前記トランスポンダ（６）は、ＲＦＩＤタグであり、各タグは識別番号を含むことを特徴とする請求項１記載の雰囲気装置（１）。
【請求項８】
前記検出デバイス（４）は、アンテナを含み、前記アンテナは前記ＲＦＩＤタグが受信する電磁波信号を作動時に送るようになっており、リータン信号は、前記ＲＦＩＤタグの識別番号を含むことを特徴とする請求項７記載の雰囲気装置（１）。
【請求項９】
前記検出デバイス（４）は、ボウル状容器（５）内に組み込まれており、前記トランスポンダ（６）は、触知できる物体内に組み込まれており、トランスポンダはボウル状容器（５）の外部にあるときは第１位置にあり、ボウル状容器（５）の内部にあるときは第２位置に位置することを特徴とする請求項１記載の雰囲気装置（１）。
【請求項１０】
前記触知可能な照明物体は、制御するようになっている照明カラーに対応するカラーを有することを特徴とする請求項９記載の雰囲気装置（１）。
【請求項１１】
各触知可能なフレグランス物体は、制御すべき匂いを視覚化することを特徴とする請求項９記載の雰囲気装置（１）。
【請求項１２】
前記触知可能な物体は、マーブルの形状を有する、請求項９乃至１１の何れか１項に記載の雰囲気装置（１）。
【請求項１３】
前記トランスポンダ（６）にはスイッチング要素（１４）が設けられており、このトランスポンダは、少なくとも第１面および第２面を有する触知可能な物体内に組み込まれており、前記第１面が上向きのとき、前記スイッチはオフであり、前記第２面が上向きのとき、前記スイッチはオンであり、前記第１面が上向きの状態で前記触知可能な物体が位置しているときにトランスポンダ（６）は第１位置にあり、前記第２面が上向きの状態で前記触知可能な物体が位置しているときにトランスポンダ（６）は第２位置に位置することを特徴とする請求項１記載の雰囲気装置（１）。
【請求項１４】
各触知可能な照明物体の第２の面は、本デバイスが制御する照明カラーに適合するような色がつけられており、前記触知可能な照明物体の第１の面は、前記カラーの表示を支持することを特徴とする請求項１３記載の雰囲気装置（１）。
【請求項１５】
各触知可能なフレグランス物体の前記第２面は、本装置が制御する匂いを視覚化し、前記ディスク状の触知可能な物体の前記第１面は前記匂いの表示を支持することを特徴とする請求項１３記載の雰囲気装置（１）。
【請求項１６】
前記検出デバイス（４）は、ボウル状容器（５）内に組み込まれており、ディスク状の触知可能な物体の形状を有する前記トランスポンダ（６）は前記ボウル状容器（４）内に位置することを特徴とする、請求項１３乃至１５の何れか１項に記載の雰囲気装置（１）。
【請求項１７】
前記検出デバイス（４）は、表面（１５）、特にテーブルを収納しており、キューブ状の触知可能な物体（１１）の形状を有する前記トランスポンダ（６）は前記表面（１５）上に位置することを特徴とする、請求項１３乃至１５の何れか１項に記載の雰囲気装置（１）。
【請求項１８】
前記雰囲気装置（１）は、前記検出デバイス（４）からの前記リータン信号を前記照明ユニット（２ａ）および／または前記フレグランスユニット（２ｂ）のための入力値へ変換するための処理ユニット（９）を更に含むことを特徴とする請求項１乃至１７の何れか１項に記載の雰囲気装置（１）。
【請求項１９】
複数の照明および／またはフレグランストランスポンダ（６）および検出デバイス（４）を有する、照明ユニット（２ａ）および／またはフレグランスユニット（２ｂ）を制御するためのユーザーインターフェース（３）であって、各トランスポンダ（６）は、前記照明ユニット（２ａ）および／またはフレグランスユニット（２ｂ）の特定の雰囲気設定を制御すると共に、前記トランスポンダ（６）が前記検出デバイス（４）によって検出されない状態に対応する第１位置、および前記トランスポンダ（６）が前記検出デバイス（４）によって検出され、リータン信号を送る状態に対応する第２位置をとるようになっており、前記リータン信号は照明ユニット（２ａ）および／またはフレグランスユニット（２ｂ）の設定を制御するようになっているユーザーインターフェース（３）。
【請求項２０】
前記処理ユニット（９）は、請求項１９記載の前記ユーザーインターフェース（３）が供給するリータン信号を受信すると共に、このリータン信号を前記処理ユニット（２ａ）および／または前記フレグランスユニット（２ｂ）のための入力値に変換するようになっていることを特徴とする処理ユニット（２ａ）とフレグランスユニット（２ｂ）と処理ユニット（９）とのアセンブリ。
【請求項２１】
複数のトランスポンダ（６）および検出デバイス（４）を有するユーザーインターフェース（３）を使用することにより、雰囲気装置（１）を制御する方法であって、前記検出デバイス（４）により、前記トランスポンダ（６）を検出しない状態に対応する第１位置から、前記検出デバイス（４）により前記トランスポンダ（６）を検出し、このトランスポンダがリータン信号を送る状態に対応する第２位置までトランスポンダ（６）を変えることにより、各トランスポンダ（６）は、前記雰囲気装置（１）の特定の雰囲気設定を制御するようになっており、前記リータン信号は、前記雰囲気装置（１）の雰囲気設定を制御するようになっている雰囲気装置（１）を制御する方法。
【発明の詳細な説明】
【技術分野】
【０００１】
本発明は、照明ユニットと、フレグランスユニットと、照明ユニットの照明カラーおよび／または照明強度の設定、匂いスペクトルおよび／またはその強度の設定の双方を制御するためのインターフェースとを備えた、雰囲気装置に関する。
【０００２】
本発明は更に、照明ユニット、フレグランスユニットおよびユーザーインターフェースによって制御される処理ユニットのアセンブリを含む雰囲気装置を制御するためのユーザーインターフェース、および雰囲気装置を制御するための方法にも関する。
【背景技術】
【０００３】
現在の光源は、主に１つの照明カラーしか含まず、光源はこれらをオンオフに切り換えるか、またはディミングすることによって制御できるようになっている。近い将来、全スペクトルのカラーの光を発生できる光源と、選択された匂いスペクトルを発生できるフレグランスソースの双方を備えた雰囲気装置が、どの家庭でも一般的となろう。これらタイプの雰囲気装置によって、制御すべき部屋または場所に応じてほとんどすべての色、匂いおよび雰囲気を創出することが可能となろう。
【発明の開示】
【発明が解決しようとする課題】
【０００４】
従って、ユーザーは、光強度、輝度および／または色の特徴の外にフレグランスのスペクトルおよび強度も制御しなければならないので、かかる雰囲気装置の制御はより複雑となる。これら制御は、多くのユーザーにとって新しいものであるので、これら制御を取り扱う制御ユニットは使用が簡単であることが重要である。
【０００５】
従来技術の欠点は、広範な範囲の放出可能なスペクトルを有する雰囲気装置を制御するための容易な方法を提供できないことである。
【０００６】
本発明の目的は、従来技術の上記欠点を解消した雰囲気装置を提供することにある。
【課題を解決するための手段】
【０００７】
本発明によれば、この目的は、照明ユニットと、フレグランスユニットと、前記照明ユニットの照明カラーおよび／または強度の設定、および前記フレグランスユニットの匂いスペクトルおよび／または強度の設定の双方を制御するためのインターフェースとを備え、前記ユーザーインターフェースは複数のトランスポンダおよび前記トランスポンダを検出するための検出デバイスとを有し、各トランスポンダは、特定の設定を制御すると共に、前記トランスポンダが前記検出デバイスによって検出されない状態に対応する第１位置、および前記トランスポンダが前記検出デバイスによって検出され、トランスポンダがリータン信号を送る状態に対応する第２位置をとるようになっており、前記リータン信号は、前記照明ユニットの照明カラーおよび／または強度、および前記フレグランスユニットの匂いスペクトルおよび／または強度を制御するようになっている雰囲気装置によって達成される。
【０００８】
本発明は、触知可能な物体（本明細書ではトランスポンダと称す）をこれらのトランスポンダのための検出デバイスに対して移動することにより、ユーザーは、雰囲気を極めて容易に変更できる。すなわち、特に各トランスポンダが特定の匂いおよび／またはカラーに対応している場合に、匂いスペクトルおよび／または匂い強度、および／または１つの光源または複数の光源のカラーおよび／または強度を極めて容易に変更できる。例えば、ユーザーが所定のカラーの強度を変更したい場合、このカラーに対応する照明トランスポンダを第１位置から第２位置へ、またはこの逆に変えるだけでよい。この照明トランスポンダを移動すると、照明トランスポンダは、そのリターン信号を変更し、このリターン信号は、照明カラーの変更の尺度となる。同様に、所定に匂いに対応するトランスポンダの同様な変更により匂いスペクトルを容易に制御できる。
【０００９】
好ましい実施形態では、制御すべき特定の照明カラーは、原色である、赤色、緑色および青色を含む。１９３１年のＩＣＥ（国際照明委員会）の色度図では、これら原色は三角形を成し、これら三原色の光源の強度の比を調節することにより、この三角内のカラーすべてを発生できる。特に、これによってハロゲンタイプのランプの光のようなコールドライトから、従来の電球の光のような暖かい光までの白色光の広い範囲の色温度の選択が可能となる。このことは、すべての種類の光源に適用できる。例として、白熱灯、ＨＩＤランプ、低水銀圧放電ランプ、発光ダイオード（ＬＥＤ）を挙げることができるが、本発明はこれら例だけに限定されるものではない。
【００１０】
別の好ましい実施形態では、制御すべき匂いスペクトルは、天然の匂い、例えば花、植物、石鹸、シャンプーまたは香水の匂い、例えば薔薇、ラベンダー、蘭、新しく刈り込んだ芝、海水、コーヒー、焼きたてのパン、シャネルＮｏ.５（登録商標）、
2008543011.tif 000003
（登録商標）などを挙げることができる。これとは異なり、テレビまたはコンピュータ画像と（自動的に）組み合わせて、雰囲気装置を使用する場合、加速中の自動車の焦げたゴムの匂い、または焼けた火薬の匂いもおもしろい。このことは、例えば花の形状にしたり、香水のボトルの一部を形成したり、海の写真を見せることにより提供される匂いのイメージをフレグランストランスポンダが示すときに特に便利である。
【００１１】
別の実施形態は、照明カラーの強度および／または匂いスペクトルが前記カラーを制御するようになっており、第２位置をとっているトランスポンダの数に比例することを特徴とする。この実施形態の構造は、雰囲気装置を制御するのに極めて直感的である。これによって、より多数のトランスポンダを第２位置にすればするほど、この特定の選択から、発生される光および／またはフレグランス出力も多くなる。例えばこれらトランスポンダの数の間の関係をリニアに選択することができる。すなわちパワーはトランスポンダの数にリニアに比例する。別の選択は、第２位置にあるトランスポンダの数と雰囲気装置へ送られるパワーとの関係を指数関係に設定することであり、このような関係によって、人の感覚の認識の特性に、より良好に類似させることができる。
【００１２】
別の好ましい実施形態では、トランスポンダは、ＲＦＩＤタグであり、各タグは識別番号を含み、検出デバイスは、アンテナを含み、このアンテナは前記ＲＦＩＤタグが受信する電磁波信号を作動時に送るようになっており、リータン信号は、前記ＲＦＩＤタグの識別番号を含む。トランスポンダに対しては、無線周波数識別タグ（ＲＦＩＤタグ）を選択することが好ましい。これらタグは、盗難防止のために店舗のセキュリティシステムで広く使用されており、一般に公知のものである。このタグが第１位置、すなわち検出デバイスによって検出されない位置から、第２位置、すなわち検出デバイスによって検出される位置に移動されると、かかるＲＦＩＤタグは、リターン信号として識別番号、すなわちＩＤ番号を送る。このＩＤ番号は、ルックアップテーブルによってカラー、匂いスペクトルまたは強度に一義的に結合できる。
【００１３】
光強度を、既に調節したカラーと比例するように、従ってカラーが中性となるように変えるために、トランスポンダのＩＤ番号を結合することも可能である。更に、照明ユニットに所定の量の白色光を加えることによって強度を変更する白色ＲＦＩＤタグを使用することが可能となる。多くの場合、これによって光のカラーが変更される。かかる照明デバイスを調節することが快適となるよう、トランスポンダが制御するカラーにトランスポンダを着色してもよい。例えばかかるシステムは、原色を調節するための赤色、緑色および青色トランスポンダ、および白色を追加することにより、カラーの設定に影響する白色トランスポンダを含むことができる。
【００１４】
更に、照明とフレグランスが不合理で、矛盾した、および／またはそれらの不愉快な組み合わせが防止されるよう、匂いスペクトルおよびその強度と共に、照明カラーおよび強度の制御をプログラムすることが好ましい。例えば、不合理な組み合わせとして、焼きたてのパンのフレグランスと暖かい地中海の夕方に対応する照明設定との組み合わせ、または焼きたてのパンの匂いと刈ったばかりの芝の匂いの組み合わせがある。これとは異なり、照明とフレグランスの極めて心地よい組み合わせ、例えば日没、日の出の照明の設定とコーヒーの匂いの組み合わせをあらかじめプログラムすることもできる。このようなあらかじめプログラムした組み合わせは、ユーザーインターフェースの使用を更に容易にすると共に、不快な組み合わせを抑制できる。
【００１５】
かかる雰囲気装置の一例は、検出デバイスが、ボウル状容器内に組み込まれており、前記トランスポンダが、触知できる物体内に組み込まれており、トランスポンダはボウル状容器の外部にあるときは第１位置にあり、ボウル状容器の内部にあるときは第２位置に位置することを特徴とする。この例では、トランスポンダをボウルに入れることができるマーブルとすることができ、ボウル内のすべてのトランスポンダは対応する照明ユニットおよびフレグランスユニットのカラーおよび強度を決定する。ちょうどフルーツボウルのようにテーブルの上にかかるボウルを置くことができ、このボウルは家庭のインテリアにおける装飾的オブジェクトとなり得る。
【００１６】
別の実施形態は、トランスポンダにスイッチング要素が設けられており、このトランスポンダは少なくとも第１面および第２面を有する触知可能な物体内に組み込まれており、前記第１面が上向きのとき、前記スイッチはオフであり、前記第２面が上向きのとき、前記スイッチはオンであり、前記第１面が上向きの状態で前記触知可能な物体が位置しているときにトランスポンダが第１位置にあり、前記第２面が上向きの状態で前記触知可能な物体が位置しているときにトランスポンダが第２位置に位置することを特徴とする。この例では、トランスポンダを裏返しにすることにより、第１位置から第２位置へトランスポンダを移動する。このことは、ボウル状容器の場合、このボウル内に常にすべてのトランスポンダがあり、トランスポンダが作動しているか否かを、上を向いた面が示す。
【００１７】
同じように、例えばテーブルのエッジまたは表面に検出デバイスを組み込み、検出デバイスの領域内で、すべてのトランスポンダがちょうどテーブル上のオブジェクトとなるような雰囲気装置を創出でき、トランスポンダを裏返しにすることにより、照明ユニットおよびフレグランスユニットを制御する。
【００１８】
この雰囲気装置は更に、検出デバイスからのリターン信号を、照明ユニットおよびフレグランスユニットの双方のための入力値に変換するための処理ユニットを含むことを特徴とする。
【００１９】
第２位置にある各トランスポンダはリターン信号を送る。このリターン信号は、照明ユニットおよび／またはフレグランスユニットを駆動するために必要な情報に変換しなければならない。この変換は、処理ユニット、例えばパソコンによって容易に実行できる。例えばこの変換は、多数のトランスポンダからの一連のリターン信号の間の関係を示すルックアップテーブルから、照明ユニットの対応する照明カラーおよび／または強度、およびフレグランスユニットの匂いスペクトルおよび匂い強度に誘導できる。
【００２０】
本発明は更に、雰囲気装置の照明ユニットおよびフレグランスユニットを制御するためのユーザーインターフェース、照明ユニット、フレグランスおよびかかるユーザーインターフェースによって制御される処理ユニットのアセンブリだけでなく、この照明ユニットおよびフレグランスユニットを制御する方法にも関する。
【００２１】
添付図面および下記の実施形態を参照しながら、非限定的な例を読めば、本発明の上記およびそれ以外の特徴が明らかとなろう。
【発明を実施するための最良の形態】
【００２２】
図１は、本発明に係わる雰囲気装置１の異なる部品の概略図である。雰囲気装置１は照明ユニット２ａと、雰囲気ユニット２ｂと、ユーザーインターフェース３とを備える。ユーザーインターフェースでは次の要素を区別できる。すなわち検出デバイス４、例えばアンテナと、トランスポンダ６ａ、６ｂとを区別できる。この例では、ボウル５に検出デバイス４が取り付けられており、この例においてボウルの外側にトランスポンダ６ａ、６ｂが位置しているとき、これらトランスポンダは作動していないと見なされる。すなわちこれらは検出デバイス４によっては検出されないが、ボウルの内部にあるとき、これらは作動しており、すなわち検出され、トランスポンダはリターン信号を送り戻す。このリターン信号はドライバー回路８ａ、８ｂが光源７ａおよび匂いソース７ｂをそれぞれドライブするのに適した信号に変換される。このような変換、例えばリターン信号から照明ユニット２ａのカラーおよび／または強度の選択への変換およびフレグランスユニット２ｂからの匂いおよび／または強度の選択への変換は、処理ユニット９、例えばパソコンによって行われる。この処理ユニット９は別個のエンティティでもよいが、ユーザーインターフェース３内または照明ユニット２ａ内、またはフレグランスユニット２ｂ内に組み込んでもよい。
【００２３】
ユーザーインターフェース３は部屋内の雰囲気設定のためのリモコンとして見ることができる。リターン信号から誘導された情報は、処理ユニット９に送られ、変換されたデータがドライバー回路８ａ、８ｂに送られる。このような情報の伝達は、別個のユニットを相互接続することによって実現されるが、情報を無線で送信することによっても行うことができる。
【００２４】
光源７ａは、異なるカラーのＬＥＤとすることもできるし、従来のランプのような他の光源を使用してもよい。匂いソース７ｂは、異なる匂いを含む、匂いディスペンサー、例えばスプレイノズル、ボトルまたは他の蒸発器を通して小出しされる匂いの液／ガスでもよいし、匂いが含浸された固体のような他の匂いソースも使用できる。
【００２５】
以下、２つの例に基づき、本発明について説明するが、本発明はこれら例だけに限定されるものではない。
【００２６】
図２Ａ〜２Ｅには、第１実施形態のユーザーインターフェース３が示されている。このユーザーインターフェース３は、ボウル状容器５と、多数のトランスポンダ６ａ、６ｂを有する。ボウル状容器５は、テーブルで装飾的な価値を有し得るフルーツボウルのようなボウルでもよいが、トランスポンダ６ａ、６ｂを含むのに適した他の任意の形状でもよい。ボウル状容器５には検出デバイス４が設けられ、この検出デバイス４はボウル状容器５のエッジに取り付けられたコイルまたはアンテナとすることができる。この検出デバイス４には、電源およびトランスポンダ６ａ、６ｂの情報を読み出すための手段を設けなければならない。トランスポンダ６ａ、６ｂのための無線識別（ＲＦＩＤ）タグを選択できる。これらＲＦＩＤタグは１つのＩＤ番号を含むようにプログラムできるＩＣを含む。検出デバイス４は、電磁波信号を送るアンテナを含む。この電磁波信号は、ＲＦＩＤタグにより受信され、これらタグはこの信号からのエネルギーを電源として使用し、信号を受信すると、ＲＦＩＤタグはこのタグにプログラムされている識別と共に、リターン信号を送り戻す。
【００２７】
この情報は処理ユニットへ送られ、処理ユニットでは照明ユニットおよび／またはフレグランスユニットを適当なパラメータが駆動するための入力信号に変換される。照明ユニットがＬＥＤシステムである場合、これらパラメータはＬＥＤの光出力を所定の値にするのに必要な電流とすることができ、ＬＥＤが多数設けられている場合では、これらパラメータはどのＬＥＤをオンにし、どれをオフにするかを決定できる。フレグランスユニットがスプレイノズルシステムである場合、パラメータはそれぞれのスプレイノズルの匂いの出力を所定の値にするのに必要な電流とすることができ、多数のスプレイノズルが設けられている場合、これらパラメータはどのスプレイノズルをオンにし、どのスプレイノズルをオフにするかを決定できる。
【００２８】
図２Ａでは、照明ユニットおよびフレグランスユニットはオフ状態にあり、トランスポンダ６ａ、６ｂはボウル状容器５の外部にあり、この容器は第１位置または非作動位置にあると称すことができる。この例では、触知可能なオブジェクト（以下、マーブルと称す）内にトランスポンダ６ａ、６ｂが収納されており、マーブル６ａは、マーブルが照明の所望する色に寄与していることに適合するような色がつけられており、マーブル６ｂは、花の形状となっており、これらマーブルが提供するそれぞれのフレグランス、例えばデージーまたはチューリップの匂いを有する。例えば照明ユニットが赤色、緑色および青色ＬＥＤヲ含む場合、これらマーブルも赤色、緑色および青色に着色される。図２Ｂおよび２Ｃでは、照明ユニットは作動位置にあるトランスポンダ６ａに対応する１つの色の光しか発光しない。図２Ｃでは、雰囲気装置のフレグランスユニットがデージーのフレグランスを放出する。
【００２９】
ボウル状容器５に、より多数のトランスポンダ６ａを追加すると、図７Ｄおよび７Ｅに示されるような混合色（および／または混合フレグランス）が生じる。同じ色／形状のより多数のマーブルを追加することにより、光／フレグランスの強度を制御できる。作動している、対応する色のマーブルの数と共に、ＬＥＤにかけるパワーをリニアに増加するように選択できる。
【００３０】
人の眼の感度は対数的性質を有する。例えば眼は光源のパワーが指数的に増加するとき、強度の増加をリニアに認識する。このような理由から、ボウル状容器５にマーブルを追加することにより、強度が指数的に増加するよう、処理ユニットにプログラムを組むことができる。
【００３１】
ボウル状容器５は、所望する色の照明を発するように選択された多数のマーブルを備え、照明の強度を増加しなければならないとき、同じ色の光を維持するには、既にボウル状容器５内に存在しているのと同じ比で、マーブルを追加しなければならない。光強度を増加するための可能な別の選択肢として、専用の光強度マーブルを使用することができる。これらマーブルに対し、異なる色の、既に作動しているマーブルの比に応じて、光強度を増加するように処理ユニットをプログラムする。このことは、これら専用の光強度マーブルは、照明の色を変えないことを意味する。
【００３２】
マーブルのサイズを変えたり、光／フレグランスの強度を大きくすることによっても、光／フレグランス強度を制御することもできる。
【００３３】
更に、混色のマーブルを使用することも可能となる。例えば紫色のマーブルで、青色および赤色ＬＥＤを同時に駆動するか、またはこれとは異なり、色とフレグランスを組み合わせ、気持ちのよい色とフレグランスの組み合わせを生じさせる。複数のフレグランスまたは色とフレグランスの不合理で／不快な組み合わせが選択されると、警告信号を発生するよう、処理ユニットをあらかじめプログラムすることができる。この警告信号は、例えば光のフリッカーとすることができ、例えば信号の結果としてフレグランスユニットの匂いディスペンサーが作動しない状態に維持できる。
【００３４】
作動しないように選択されるマーブルを別個のボックスに入れてもよいし、またはボウル状容器の横に置いてもよい。図３に示されるような別の例として、溝１０と共に、ボウル状容器５を使用することができ、この溝１０を、検出デバイス４によって閉じられた領域の外に設け、この溝内に作動しないマーブルを置くことができる。
【００３５】
図４は、本発明の第２実施形態を示す。この例では、例えば光６ａのためのトランスポンダ６ａおよびフレグランスのためのトランスポンダ６ｂの双方を示すトランスポンダ６は、表面１５、例えばテーブルに置いたキューブ１１内に組み込まれている。テーブルの天板のエッジまたはテーブルの天板の一部の領域内に、検出デバイス４を設置してもよい。更に、トランスポンダ６を非作動状態から作動状態に変えることができるスイッチング要素１４をトランスポンダ６に設ける。例えばこのスイッチング要素１４は、重量スイッチとすることができ、このスイッチはキューブが第１位置にあると、開位置、すなわちオフまたは非作動位置になり、キューブを第２位置に裏返しにすると、閉位置、すなわちオンまたは作動位置になる。図４では、このタイプのトランスポンダ６の主要部品をキューブ内で区別できる。すなわちプログラムされた情報、例えばＩＤ番号を有するＩＣ１２と、信号を受信し、送り戻すためのアンテナ１３と、スイッチング要素１４を区別できる。
【００３６】
この実施形態では、制御すべき光のカラーに適合するようにキューブ１１に色をつけることができる。キューブが作動位置にあるのか、非作動位置にあるのかを見るために、キューブが作動していないことを示す面に、適当な色、例えば着色ドットと共に黒の表示を設け、一方、キューブが作動していることを示す面全体を着色する。照明カラーおよび強度を制御する方法は、第１実施形態に類似しており、トランスポンダを第１位置から第２位置まで移動する方法が異なる。すなわち第１実施形態では、ボウル状容器４内にマーブルを挿入し、第２実施形態ではキューブ１１を裏返しすることにより制御する点が異なっている。フレグランスを制御する同一または同様な方法を、フレグランスユニットの制御にも適用できる。
【００３７】
図５には、重量スイッチのための別の態様が示されている。ここでは、キューブ１１にキャビティ１６が設けられており、このキャビティ１６内にはトランスポンダ６が挿入されており、このトランスポンダをはキャビティ１６内で移動できるようになっている。更にキャビティ１６にはこのキャビティを半分カバーする金属シールド１７が設けられている。図５における左キューブ内にて、シールド１７は、キューブ１１が第２の作動位置にあるとき、キャビティ１６の上半分をカバーする。すなわちキューブ１１がこのように配向しているとき、検出デバイス４によってトランスポンダ６が検出される。図５の中心および右チューブに対して行ったように、キューブ１１を裏返しにすると、シールド１７はキャビティの下半分をカバーし、トランスポンダ６は下に落下し、検出デバイス４によってＲＦＩＤタグが検出されないよう、すなわち非作動状態となるように、ＲＦＩＤタグからの通信信号が乱される。
【００３８】
ここでもキューブの使用はこの実施形態を制限するものではない。すなわちトランスポンダ６を含む触知可能な物体は、異なる形状、例えば平らなディスク形状または円筒形状でもよい。
【００３９】
更に２つの実施形態を組み合わせることができる。例えばトランスポンダ６にスイッチング要素１４を設ける場合、ボウル状容器５内でトランスポンダ６を使用することもできる。この場合、トランスポンダ６は、ボウル状容器５内に留まり、トランスポンダをひっくり返すことにより、トランスポンダは第１位置から第２位置へ移動する。この場合、トランスポンダをディスク形状または玉形状とすることが好ましい。
【００４０】
表面１５を多数のサブエリアに分割し、各サブエリアに検出デバイス４を設けることにより、照明／フレグランスを制御すべき部屋のマップとして表面１５を使用できる。表面１５上のキューブ１１の相対的位置は、どの検出デバイス４がキューブ１１の存在を検出するかを決定すると共に、この相対的位置を使って、照明／フレグランスを制御する部屋の特定部分を表示できる。
【図面の簡単な説明】
【００４１】
【図１】本発明に係わる雰囲気装置の略図である。
【図２Ａ】本発明に係わる第１実施形態を示す。
【図２Ｂ】本発明に係わる第１実施形態を示す。
【図２Ｃ】本発明に係わる第１実施形態を示す。
【図２Ｄ】本発明に係わる第１実施形態を示す。
【図２Ｅ】本発明に係わる第１実施形態を示す。
【図３】第１実施形態の変形例である。
【図４】本発明に係わる第２実施形態を示す。
【図５】第２実施形態の変形例である。
【符号の説明】
【００４２】
１    雰囲気装置
２ａ  照明ユニット
２ｂ  フレグランスユニット
３    ユーザーインターフェース
４    検出デバイス
６    トランスポンダ
【図１】
2008543011.tif 000004
【図２Ａ】
2008543011.tif 000005
【図２Ｂ】
2008543011.tif 000006
【図２Ｃ】
2008543011.tif 000007
【図２Ｄ】
2008543011.tif 000008
【図２Ｅ】
2008543011.tif 000009
【図３】
2008543011.tif 000010
【図４】
2008543011.tif 000011
【図５】
2008543011.tif 000012
【国際調査報告】
2008543011.tif 000013
2008543011.tif 000014
2008543011.tif 000015